(57)【要約】【課題】眼鏡のレンズに貼り付けた際、眼鏡のレンズとの間に皺が形成されることが無い眼鏡用フィルムを提供することである。【解決手段】眼鏡用フィルム１０は、着色剤、紫外線の透過を防止する紫外線透過防止剤のうち少なくとも一種が含有または塗着されている透光性を有するフィルム層１２と、フィルム層１２の片側の面に形成されフィルム層１２を眼鏡のレンズＢの凸面に貼着する粘着層１４とから構成されており、フィルム層１２は、その外面形状がレンズＢの凸面側における曲率半径と略等しい曲率半径ｒを有する凸曲面となるように形成されている。この発明によれば、フィルム層１２の外面形状がレンズＢの凸面側における曲率半径と略等しい曲率半径ｒを有する凸曲面となるように形成されているので、フィルム層１２をレンズＢの凸面に貼り付けた時に、その周縁部においてレンズＢとフィルム層１２との間に皺が生じることはない。【選択図】　　図２
2004126369.tif 000002
【特許請求の範囲】
【請求項１】
着色剤、紫外線の透過を防止する紫外線透過防止剤のうち少なくとも一種が含有または塗着されている透光性を有するフィルム層と、前記フィルム層の片側の面に形成され前記フィルム層を眼鏡のレンズの凸面に貼着する粘着層とを備える眼鏡用フィルムにおいて、
前記フィルム層は、その外面形状が前記レンズの凸面側における曲率半径と略等しい曲率半径を有する凸曲面となるように形成されていることを特徴とする眼鏡用フィルム。
【請求項２】
前記フィルム層は、その表面に図柄が印刷されていることを特徴とする請求項１に記載の眼鏡用フィルム。
【請求項３】
透光性を有するフィルム層と、前記フィルム層の片側の面に形成され前記フィルム層を眼鏡のレンズの凸面に貼着する粘着層とを備える眼鏡用フィルムにおいて、
前記フィルム層は、その外面形状が前記レンズの凸面側における曲率半径と略等しい曲率半径を有する凸曲面となるように形成され、
その表面に透光性の複数の細孔からなる細孔模様が印刷され、細孔部分以外は遮光部となっていることを特徴とする眼鏡用フィルム。
【請求項４】
遮光性フィルム層と、前記フィルム層の片側の面に形成され前記フィルム層を眼鏡のレンズの凸面に貼着する粘着層とを備える眼鏡用フィルムにおいて、
前記フィルム層は、その外面形状が前記レンズの凸面側における曲率半径と略等しい曲率半径を有する凸曲面となるように形成され、
前記フィルム層は、光を透過するための細孔が穿設されていることを特徴とする眼鏡用フィルム。
【発明の詳細な説明】
【０００１】
【発明の属する技術分野】
この発明は、日常使用している普通の眼鏡のレンズに貼り付けることにより当該普通の眼鏡をサングラスとして或いは視力改善用眼鏡として使用出来るようにするための眼鏡用フィルムに関する。
【０００２】
【従来の技術】
手持ちの眼鏡をサングラスとして使用する簡便かつ安価な方法として、眼鏡用フィルムを使用する方法が提案されており、このような眼鏡用フィルムとしては、透光性を有するシート部材を眼鏡のレンズの外形に合わせて切り取り、シート部材の片面に形成された粘着剤層をレンズ面に貼り付けるようにしたものが周知である（特許文献１および２参照）。
【０００３】
【特許文献１】
特開２００１−３４３６１７号公報（図３）
【特許文献２】
実用新案登録第３０４２６８０号公報（段落番号【００２６】、【００２７】）
【０００４】
【発明が解決しようとする課題】
ところが、前記従来の眼鏡用フィルムでは、その外面形状が凸曲面状に形成された眼鏡のレンズ面に、非球面状（すなわち、平板状）の眼鏡用フィルムを貼り付けるようにしていたため、その周縁部分において眼鏡用フィルムに皺が生じてしまい、美感を損なうばかりでなく、眼鏡を着用した際にはその皺部分が視界に入ってしまい、目障りになるという問題があった。
【０００５】
本発明の主たる目的は、日常使用されている普通の眼鏡のレンズに該眼鏡をサングラス等に変身させるための眼鏡用フィルムを貼り付けた際、眼鏡用フィルムの周縁部分に皺が形成されず、凸曲面状のレンズ面にぴったりと貼着することが出来る眼鏡用フィルムを提供することにあり、従たる目的としてはこの眼鏡用フィルムを用いることで日常使用されている普通の眼鏡を目的に合わせて他の用途に用いることができるようにすることにある。
【０００６】
【課題を解決するための手段】
請求項１に記載した発明は、「着色剤、紫外線の透過を防止する紫外線透過防止剤のうち少なくとも一種が含有または塗着されている透光性を有するフィルム層（１２）と、前記フィルム層（１２）の片側の面に形成され前記フィルム層（１２）を眼鏡（Ａ）のレンズ（Ｂ）の凸面に貼着する粘着層（１４）とを備える眼鏡用フィルム（１０）であって、前記フィルム層（１２）は、その外面形状が前記レンズ（Ｂ）の凸面側における曲率半径と略等しい曲率半径（ｒ）を有する凸曲面となるように形成されていることを特徴とする眼鏡用フィルム（１０）」であり、請求項２に記載した発明は、請求項１に記載した眼鏡用フィルム（１０）を限定したものであり、「前記フィルム層（１２）は、その表面に図柄（５２）が印刷されている」ことを特徴とするものである。
【０００７】
請求項１、２に記載した発明によれば、フィルム層（１２）の外面形状がレンズ（Ｂ）の凸面側における曲率半径と略等しい曲率半径（ｒ）を有する凸曲面状となるように形成されているので、フィルム層（１２）をレンズ（Ｂ）の凸面に貼り付けた時に、その周縁部において皺が生じることはない。また、フィルム層（１２）に着色剤や紫外線透過防止剤が含有または塗着されているので、貼るだけでレンズ（Ｂ）の色を変えたり、眼鏡用フィルム（１０）を透過しようとする紫外線を遮断することができ、これによりフィルム層（１２）を貼りつけた眼鏡（Ａ）は外観的に優れたサングラスに変身することになる。
【０００８】
なお、このフィルム層（１２）は自由に貼り替えることができるので、日常使用している通常の眼鏡（Ａ）を着用者の好みに合わせた色々な色または模様を備えた遊び心あふれるサングラスに変えることができる。
【０００９】
請求項３に記載した発明は、「透光性を有するフィルム層（１２）と、前記フィルム層（１２）の片側の面に形成され前記フィルム層（１２）を眼鏡（Ａ）のレンズ（Ｂ）の凸面に貼着する粘着層（１４）とを備える眼鏡用フィルム（１０）であって、前記フィルム層（１２）は、その外面形状が前記レンズ（Ｂ）の凸面側における曲率半径と略等しい曲率半径（ｒ）を有する凸曲面となるように形成され、その表面に透光性の複数の細孔（４２ａ）からなる細孔模様（４２）が印刷され、細孔（４２ａ）部分以外は遮光部（４２ｂ）となっていることを特徴とする眼鏡用フィルム（４０）」である。
【００１０】
この発明によれば、前述の作用に加えて、眼鏡用フィルム（４０）を眼鏡（Ａ）のレンズ（Ｂ）に貼り付けるだけで、手持ちの眼鏡（Ａ）を視力改善用の眼鏡として使用することができ、後述するようにその細孔部分（４２ａ）から外界を見ることで、眼の筋肉がトレーニングされ、視力を改善することができるようになる。
【００１１】
請求項４に記載した発明は、請求項３の変形例で「遮光性フィルム層（１２）と、前記フィルム層（１２）の片側の面に形成され前記フィルム層（１２）を眼鏡（Ａ）のレンズ（Ｂ）の凸面に貼着する粘着層（１４）とを備える眼鏡用フィルム（１０）において、前記フィルム層（１２）は、その外面形状が前記レンズ（Ｂ）の凸面側における曲率半径と略等しい曲率半径（ｒ）を有する凸曲面となるように形成され、前記フィルム層（１２）は、光を透過するための細孔（４２ｃ）が穿設されていることを特徴とする眼鏡用フィルム（４０）」である。
【００１２】
この発明によれば、請求項３における眼鏡用フィルム（４０）同様、手持ちの眼鏡（Ａ）を視力改善用の眼鏡として使用することができる。
【００１３】
【発明の効果】
この発明によれば、フィルム層（１２）の外面形状がレンズ（Ｂ）の凸面側における曲率半径と略等しい曲率半径（ｒ）を有する凸曲面となるように形成されているので、レンズ（Ｂ）の凸面にフィルム層（１２）を貼り付けた際に、その周縁部において皺が形成されることはない。
【００１４】
したがって、眼鏡（Ａ）のレンズ（Ｂ）に眼鏡用フィルム（１０）を貼り付けた際の美感が損なわれることはなく、また、眼鏡（Ａ）を着用した際に良好な視界を得ることができる。
【００１５】
そしてこのフィルム層（１２）を日常使用している通常の眼鏡（Ａ）のレンズ（Ｂ）に貼着することにより、サングラスや視力矯正眼鏡など他の用途に変身させることが簡単にできる。
【００１６】
【発明の実施の形態】
以下、本発明を図示実施例にしたがって詳述する。本発明の眼鏡用フィルム（１０）は、図１〜３に示すように、眼鏡（Ａ）のレンズ（Ｂ）の凸面に貼り付けて用いられるものであり、フィルム層（１２）、粘着層（１４）、および剥離層（１６）から構成されている。
【００１７】
フィルム層（１２）は、眼鏡用フィルム（１０）の基板となるものであり、ポリプロピレン、ポリエチレンテレフタラート、ポリスチレンなどの透光性を有する熱可塑性樹脂からなるシート状部材である。
【００１８】
フィルム層（１２）の外周形状は、レンズ（Ｂ）の外周形状と略等しく、あるいは、レンズ（Ｂ）の外周形状よりも大きめに設定され、その外面形状は、レンズ（Ｂ）の凸面における曲率半径と略等しく設定された曲率半径（ｒ）を有する凸曲面形状に形成され、厚さは、５０〜１５０μｍの範囲に設定されている。５０μｍよりも薄いと、レンズ（Ｂ）に貼り付ける際の取り扱いが困難となり、１５０μｍよりも厚いと、眼鏡用フィルム（１０）をレンズ（Ｂ）に貼り付けた時の美感を損なったり、眼鏡（Ａ）を着用したときに重みを感じたりするという問題があるからである。
【００１９】
なお、レンズ（Ｂ）は度数によってその曲率半径が変化しているものであるが、通常、レンズ（Ｂ）の凸面側の曲率半径は一定で、凹面側の曲率半径を変化させることで度数の変化に対応させている。したがって、フィルム層（１２）の曲面はレンズ（Ｂ）の凸面側の曲率半径に対応させておけば足る。
【００２０】
フィルム層（１２）を構成する熱可塑性樹脂には、図示しない着色剤が含有されている。本実施例ではフィルム層（１２）が着色剤によってグレー色に着色されており、これにより防眩効果を得ることができる。なお、着色剤としては、フィルム層（１２）の透光性を損なわない限りにおいて任意の色を選択することができる。
【００２１】
また、フィルム層（１２）を構成する熱可塑性樹脂には、図示しない紫外線透過防止剤が含有されている。ここで、紫外線透過防止剤は、紫外線がフィルム層（１２）を透過するのを防止するためのものであり、このような紫外線透過防止剤としては、たとえば、アクリル系の樹脂からなる紫外線吸収剤あるいは紫外線散乱剤などが好適に用いられる。紫外線吸収剤によれば、紫外線を化学的に熱エネルギーに変換することで紫外線の透過を防止することができ、紫外線散乱剤によれば、紫外線散乱剤の表面にて紫外線を散乱させることにより紫外線の透過を防止することができ、いずれの場合においても目や、目の周りの皮膚を紫外線から守ることができる。
【００２２】
なお、本実施例では、フィルム層（１２）を構成する熱可塑性樹脂に着色剤や紫外線透過防止剤を含有させていたが、これらをフィルム層（１２）の表面に塗着するようにしてもよい。
【００２３】
そして、フィルム層（１２）の凹面側には、粘着層（１４）が形成されている。
【００２４】
粘着層（１４）は、フィルム層（１２）をレンズ（Ｂ）の凸面に貼着するためのものであり、フィルム層（１２）の凹面全面にわたって形成されている。
【００２５】
粘着層（１４）の機能としては、レンズ（Ｂ）に貼り付けた眼鏡用フィルムを剥離する際に、粘着層（１４）の一部がレンズ（Ｂ）の凸面に付着したままの状態とならないような粘着性を有するものが望ましく、このような機能を有する粘着層（１４）の主成分としては、ゴム系・ホットメルト系・アクリル系・シリコーン系などの樹脂が好適に用いられる。
【００２６】
そして、粘着層（１４）におけるフィルム層（１２）と対向しない側の面には、剥離層（１６）が形成されている。
【００２７】
剥離層（１６）は、眼鏡用フィルム（１０）の不使用状態において、粘着層（１４）の表面に水、湿気、油、埃などが付着することによって、その粘着力が低下するのを防止するためのシート状部材であり、フィルム層（１２）の外周形状と略等しく形成された基材の表面にたとえばシリコーン樹脂などの剥離剤を塗布することにより形成されている。
【００２８】
眼鏡用フィルム（１０）を形成する方法としては、たとえば、図示しない金型に予め機械加工、化学エッチング或いは放電加工などにより、レンズ（Ｂ）の凸面側における曲率半径と略等しい曲率半径（ｒ）を有する凸曲面となるような凹凸パターンを形成しておき、この金型の凹凸パターンの間に、フィルム層（１２）の元となる熱可塑性樹脂からなるシート状部材を挟み込む。そして、金型を加熱し、プレスすることにより所定の凸曲面を有するフィルム層（１２）を形成し、このフィルム層（１２）の凹面側に、粘着層（１４）および剥離層（１６）を順次形成していく方法が考えられるが、もちろんこれに限られるものではない。
【００２９】
眼鏡用フィルム（１０）を使用する場合には、粘着層（１４）に貼着された剥離層（１６）を剥がし、粘着層（１４）を眼鏡（Ａ）のレンズ（Ｂ）の凸面に貼り付ける。なお、必要であれば、眼鏡用フィルム（１０）をあらかじめレンズ（Ｂ）の外周形状に合わせて切り取り、使用するようにしてもよい。
【００３０】
この実施例によれば、フィルム層（１２）の外面形状がレンズ（Ｂ）の凸面側における曲率半径と略等しい曲率半径（ｒ）を有する凸曲面となるように形成されているので、レンズ（Ｂ）の凸面にフィルム層（１２）を貼り付けた際に、その周縁部において皺が形成されることはない。
【００３１】
また、フィルム層（１２）には、着色剤および紫外線透過防止剤が含有または塗着されているので、眼鏡用フィルム（１０）を手持ちの眼鏡（Ａ）のレンズ（Ｂ）に貼り付けるだけで、サングラスとして使用することができ、防眩効果や紫外線防止効果を得ることができる。
【００３２】
さらにまた、レンズ（Ｂ）に貼着された眼鏡用フィルム（１０）を剥がせば、それまでサングラスとして使用していた眼鏡（Ａ）を、元の眼鏡（Ａ）として使用することができる。
【００３３】
なお、はじめに剥がした剥離層（１６）を粘着層（１４）に再度貼り付けておけば、粘着層（１４）の表面に水、湿気、油、埃などが付着して粘着層（１４）の粘着力が低下するようなことはなく、眼鏡用フィルム（１０）を繰り返しレンズ（Ｂ）に貼り付けることができる。
【００３４】
上述の実施例では、フィルム層（１２）を構成する熱可塑性樹脂に、着色剤や紫外線透過防止剤などを含有または塗着することにより、眼鏡用フィルム（１０）に防眩効果や紫外線対策効果などの効果をそれぞれ付与するようにしていたが、図４〜図５に示す眼鏡用フィルム（４０）（５０）のように、フィルム層（１２）の表面に印刷を施すことにより、眼鏡用フィルム（４０）（５０）に別の新たな効果を付与するようにしてもよい。
【００３５】
図４に示す眼鏡用フィルム（４０）は、フィルム層（１２）の表面に印刷が施されており、これにより細孔模様（４２）が形成されている。細孔模様（４２）は、複数の細孔（４２ａ）によって形成されており、この細孔（４２ａ）を通して外を見ることにより、眼の筋肉をトレーニングすることができ、これにより視力改善効果を得ることができる。
【００３６】
本実施例では、細孔（４２ａ）以外の部分に非透光性の黒色インクを印刷することによって遮光部（４２ｂ）を形成し、細孔（４２ａ）部分にのみ光が透過できるようになっている。
【００３７】
細孔（４２ａ）は、フィルム層（１２）の凸曲面における頭頂部を中心として同心円状に配列されており、各細孔（４２ａ）は、その直径が０．５〜１．０ｍｍの大きさに設定されていることが好ましい。各細孔（４２ａ）の直径が０．５ｍｍよりも小さい場合には、各細孔（４２ａ）から透過される光量が少なすぎるため、適当な視力改善効果が得られず、１．０ｍｍよりも大きい場合には、各細孔（４２ａ）から透過される光量が多すぎるため、適当な視力改善効果が得られないからである。
【００３８】
この眼鏡用フィルム（４０）を使用する場合には、第１実施例同様、剥離層（１６）を剥がして、粘着層（１４）をレンズ（Ｂ）の凸面に貼り付ける。そして、この眼鏡用フィルム（４０）が貼り付けられた眼鏡（Ａ）を着用し、細孔（４２ａ）を通して外を見る。
【００３９】
本実施例によれば、実施例１と同様の効果が得られることはもちろん、細孔（４２ａ）を通して外を見ることにより、眼の筋肉がトレーニングされ、視力改善効果を得ることができる。
【００４０】
また、非透光性の黒色インクを用いてフィルム層（１２）の表面全体を黒く印刷してフィルム層（１２）全体を遮光性とし、上述した細孔（４２ａ）と同形状の複数の細孔（４２ｃ）を、打ち抜き加工などにより穿設するようにしてもよい。このとき、細孔（４２ｃ）からは光が透過でき、細孔（４２ｃ）以外の部分は、遮光部（４２ｂ）とされる。そして、この場合においても、上述の実施例と同様、細孔（４２ｃ）を通して外を見ることにより、眼の筋肉がトレーニングされ、視力改善効果を得ることができる。もちろん、透光性のフィルム層（１２）の代わりに、遮光性のフィルム層を使用し、これに細孔（４２ｃ）を穿設するようにしてもよく、この場合においても上述したと同様の効果を得ることができる。
【００４１】
図５に示す眼鏡用フィルム（５０）では、フィルム層（１２）の表面に好みのデザインの図柄（５２）が印刷されている。
【００４２】
本実施例では、図柄（５２）として「ヤシの木」が印刷されているが、もちろんこれに限られるものではなく、海やヨットなどの遊び心あふれる楽しい絵、あるいは「Ｈｅｌｌｏ」などの文字や、宣伝広告用のロゴなどを印刷するようにしてもよい。
【００４３】
本実施例によれば、実施例１と同様の効果が得られることはもちろん、消費者が好みのデザインの眼鏡用フィルム（５０）を自由に選択し、手持ちの眼鏡（Ａ）に貼り付けるだけで、場所やその日の気分に応じたデザインのサングラスを簡便かつ安価に提供することができる。
【図面の簡単な説明】
【図１】この発明の一実施例を示す正面図である。
【図２】図２におけるＸ−Ｘ’断面図である。
【図３】第１実施例における使用状態を示す斜視図である。
【図４】この発明の他の実施例を示す正面図である。
【図５】この発明のさらに他の実施例を示す正面図である。
【符号の説明】
（１０）…眼鏡用フィルム
（１２）…フィルム層
（１４）…粘着層
（１６）…剥離層
（ｒ）…曲率半径
【図１】
2004126369.tif 000003
【図２】
2004126369.tif 000004
【図３】
2004126369.tif 000005
【図４】
2004126369.tif 000006
【図５】
2004126369.tif 000007